(57)【要約】少なくとも３つの列（７２、７４、７６）に配置された複数の穿孔又は短いスリットを具備する引裂き線を備えるカートン及びブランク。壁（１６）に形成された引裂き開始手段（７０）と、前記壁の周辺に向って前記引裂き開始手段（７０）から延在する少なくとも３つの引裂き線（６２、６４、６６、６８）と、を具備する引裂き開放構造が設けられた前記壁（１６）を備えるカートンを構成するカートン及びブランクも設けられている。
2005536405.tif 000002
【特許請求の範囲】
【請求項１】
少なくとも３列に配置された複数の穿孔又は短いスリットを具備する引裂き線を備えるカートン。
【請求項２】
各列の前記穿孔又はスリットは、次に隣接する列の前記穿孔又は短いスリットに対して偏倚している、請求項１に記載のカートン。
【請求項３】
列の前記穿孔は約１ｍｍ〜５ｍｍの範囲の所定の距離だけ離隔配置される、請求項１または請求項２に記載のカートン。
【請求項４】
各列は、次に隣接する列から約０．５ｍｍ〜２．５ｍｍの範囲の距離だけ離隔配置される、請求項１から請求項３までのいずれか１項に記載のカートン。
【請求項５】
壁に形成された引裂き開始手段と、前記壁の周辺に向って前記引裂き開始手段から延在する少なくとも３つの引裂き線と、を具備する引裂き開放構造体が設けられた前記壁を備えるカートンであって、
各引裂き線が少なくとも３列に配置された複数の穿孔又は短いスリットを具備するカートン。
【請求項６】
前記引裂き開放構造体は、それぞれ、前記壁の四隅に向って延在する４つの引裂き線を具備する、請求項５に記載のカートン。
【請求項７】
前記引裂き開始手段は前記壁から叩き出した押しタブを備える、請求項５または請求項６に記載のカートン。
【請求項８】
請求項１から請求鋼４まで、あるいは請求項５から請求項７までのいずれか１項に記載のカートンを構成するブランク。
【請求項９】
ボール紙又は類似の機能を有する他のシート材料から形成されるカートンであって、
２つの隣接するパネル間の結合を規定する引裂き構造体と、
引裂かれて離されるパネルを把持する手段であって、該手段が静止して占有する平面から移動し得るように、前記引裂き構造体によって、少なくとも一部分が引裂かれて離されるパネルを把持する手段と、
前記手段と前記引裂き構造体との間に配置されて、前記引裂き構造体に働くせん断力が該引裂き構造体で引裂きを起こすのに十分であり、これにより引裂かれて離されたパネルがカートンから取外し得るように、引裂かれて離された前記パネルが移動し得る量を増大させる折り曲げ線と、を備えるカートン。
【請求項１０】
引裂かれて離れた前記パネルは、取外された時にカートン内容物へのアクセスを与える、請求項９によるカートン。
【請求項１１】
引き裂かれて離された前記パネルはカートンの頂部パネルであり、前記引裂き構造体は該パネルの周辺まわりに延在し、前記パネルを把持する前記手段はその周辺から離されて配置され、前記折り曲げ線は、前記引裂き構造体が複数の位置で会合するように前記手段から多方向に延在する、請求項９または請求項１０によるカートン。
【請求項１２】
前記引裂き構造体は少なくとも２つの隣接する穿孔線を備え、前記穿孔線のうちの１つの穿孔は次に隣接する線の穿孔の中間に配置され、かつ隣接する前記穿孔線はこれらのうちの何れか１つの穿孔間の間隔より大きくない、請求項９から請求項１１までのいずれか１項によるカートン。
【請求項１３】
請求項９から請求項１２までのいずれか１項に記載のカートンを構成するブランク。
【請求項１４】
少なくとも３列に配置された複数の穿孔又は短いスリットを具備する引裂き線を備えるカートンを構成するブランク。
【請求項１５】
各列の前記穿孔又はスリットは、次に隣接する列の前記穿孔又は短いスリットに対して偏倚している、請求項１４に記載のブランク。
【請求項１６】
列の前記穿孔は約１ｍｍ〜５ｍｍの範囲の所定の距離だけ離隔配置される、請求項１４または請求項１５に記載のブランク。
【請求項１７】
各列は、次に隣接する列から約０．５ｍｍ〜２．５ｍｍの範囲の距離だけ離隔配置される、請求項１４から請求項１６までのいずれか１項に記載のブランク。
【発明の詳細な説明】
【技術分野】
【０００１】
本発明は、１つ以上のボール紙のブランク又は他の適切な折り曲げ可能なシート材料から形成された、例えば、カン、ボトル等の１つ以上の物品を収容するためカートン又はスリーブに関し、詳細には、自身をカートンに解放可能に留める手段を具備するカバーフラップを含む密封区画室内に折り曲げ可能なカートンに関する。
【背景技術】
【０００２】
本発明は、物品を含むカートンが該物品又は各物品を保護するために封入されることが望ましい点で特に有用である。
【０００３】
１つ以上の厚紙ブランクから形成された再び密封できるスリーブの１例は、再び密封できる一体ヒンジ付頂部を具備するカートンを図示する、従来技術文献に見られる（例えば、特許文献１参照）。頂部には、正面カバーパネルとスペーサーパネルとが設けられ、これらのパネルは箱の前面パネルの係合する上側部分と嵌合すべく該前面カバーパネルの一側に固定される。留め手段が正面パネルの分離した二重層部分から構成される。しかしながら、分離した部分は階段状の非平坦な前面に帰着するカバーフラップの内面に取り付けられる。
【特許文献１】米国特許第３，０７８，０３０号明細書
【０００４】
この発明の第２態様は、前記カバーフラップを解放可能に留める折れ易い結合を設けることに関する。より詳細には、引裂ストリップ配置が開示されている。
【０００５】
幾つかの既知のタイプの、通常、使用される引裂き線が存在し、これらの例は、別の２つの従来技術文献に図示されている（例えば、特許文献２及び３参照）。しかしながら、既知の引裂き線又はストリップに関連する１つの問題は引裂き作用が制御し難いことである。例えば、ボール紙の粒子方向又は引裂き力の方向は、引裂き方向に影響を及ぼす。
【特許文献２】米国特許第２，２８，５５２号明細書
【特許文献３】米国特許第３，３５５，０８９号明細書
【発明の開示】
【発明が解決しようとする課題】
【０００６】
所定の経路の引裂き線に沿った引裂きを促進しようとする試みがなされている。
【０００７】
周知の引裂き配置構成が有する問題は、或る状況で、引裂きは不規則な引裂き線経路さらに悪くはカートンの完全性を破壊することに帰着し得る引裂き線からの偏倚に通じる、所望の経路から偏倚し得るということである。
【課題を解決するための手段】
【０００８】
本発明の第１態様は、少なくとも３列に配置された複数の穿孔又は短いスリット具備する引裂き線を備えるカートンを提供する。
各列の前記穿孔又はスリットは、次に隣接する列の前記穿孔又は短いスリットに対して偏倚してもよい。
【０００９】
好ましくは、列の前記穿孔は、約１ｍｍ〜５ｍｍの範囲の距離だけ離隔配置される。より好ましくは、各列は、次に隣接する列から約０．５ｍｍ〜２．５ｍｍの距離だけ離隔配置される。
【００１０】
本発明の第２態様は、壁に形成された引裂開始手段と、該壁の周辺に向かって前記引裂開始手段から延在する少なくとも３つの引裂き線と、を具備し、各引裂き線が少なくとも３列に配置された複数の穿孔又は短いスリットを備える、引裂き開放構造が設けられた該壁を備えるカートンを提供する。
【００１１】
引裂き開放構造は、前記壁の四隅に向かってそれぞれ延在する４つの引裂き線を備え得る。
【００１２】
前記引裂開始手段は、壁から叩き出された押しタブを備えてもよい。
【００１３】
本発明の第３態様は、ボール紙又は類似の機能を有する他のシート材料から形成されるカートンであって、２つの隣接するパネル間の結合を規定する引裂き構造体と、引裂かれて離されるパネルを把持する手段であって、該手段が静止して占有する平面から移動し得るように、前記引裂き構造体によって、少なくとも一部分が引裂かれて離されるパネルを把持する手段と、前記手段と前記引裂き構造体との間に配置されて、前記引裂き構造体に働くせん断力が該引裂き構造体で引裂きを起こすのに十分であり、これにより引裂かれて離されたパネルがカートンから取外し得るように、引裂かれて離された前記パネルが移動し得る量を増大にする折り曲げ線と、を備える。
【００１４】
前記第３態様の随意の構造によれば、引裂かれて離れた前記パネルは、取外された時にカートン内容物へのアクセスを与える。
【００１５】
好ましくは、引裂かれて離れたパネルはカートンの頂部パネルであり、引裂き構造体は該パネルの周辺まわりに延在する。前記パネルを把持する前記手段はその周辺から離れて配置され、前記折り曲げ線は、前記引裂き構造体を複数の位置で会合するように前記手段から多方向に延在する。
【００１６】
より好ましくは、引裂き構造体は少なくとも２つの隣接する穿孔線を備え、前記線のうちの１つの穿孔は次に隣接する線の穿孔の中間に配置され、かつ隣接する前記線はこれらのうちの何れか１つの穿孔間の間隔よりもはや大きくない。
【００１７】
本発明の第４態様は、少なくとも３列に配置された複数の穿孔又は短いスリットを具備する引裂き線を備えるカートンを構成するブランクを提供する。前記ブランクでは、各列の前記穿孔又はスリットが次に隣接する列の穿孔又は短いスリットに対して偏倚される。好ましくは、列の穿孔は約１ｍｍ〜５ｍｍの範囲の距離だけ離隔配置される。より好ましくは、各列は次に隣接する列から約０．５ｍｍ〜２．５ｍｍの距離だけ離隔配置される。
【００１８】
本発明の例示的実施形態を添付図面を参照して実施例のみによって説明する。
【発明を実施するための最良の形態】
【００１９】
図１を参照すると、厚紙又は同様の折り曲げ可能なシート材料で作った、カートンを構成する単一のブランク１０が図示されている。カートンは１つ以上の物品を保持するように構成される。この実施形態では、ブランク１０は、折り曲げ線２０、２２及び２４に沿って直列に互いに折り曲げ可能に接続された基部パネル１２、第１側壁パネル１４、頂部パネル１６及び第２側壁パネル１８を、それぞれ、備える。
【００２０】
折り曲げ線２８及び３２にそれぞれ沿って基部パネル１２の互いに反対側にある端部端縁にそれぞれ折り曲げ可能に接続された互いに反対側にある端部パネル２６、３０を更に備え得る。この実施形態では、収容する単数又は複数の物品の形状及び／又は寸法に応じて基部パネル及び／又はスリーブの他の形状を用い得ることも考えられるが、基部パネルは実質的に正方形である。
【００２１】
端部壁パネル２６及び３０を具備するこの実施形態では、折り曲げ線３６及び４０に沿って頂部パネル１６の互いに反対側にある端縁に折り曲げ可能に接続された互いに反対側にある端部フラップ３４及び３８を備える。
【００２２】
この実施形態では、支持フラップが側壁パネル１４及び１８のそれぞれの長手方向端縁に沿って設けられる。図１に示すように、折り曲げ線４４ｃ及び４４ｄに沿って第２側壁パネル１４の互いに反対側にある端縁に折り曲げ可能に接続された側部フラップ４２ａ及び４２ｂを備える。同様に、端部フラップ４２ｃ及び４２ｄは折り曲げ線４４ｃ及び４４ｄに沿って第２側壁パネル１８の互いに反対側にある端縁に折り曲げ可能に接続される。  
【００２３】
ブランクの互いに反対側にある端部を互いに固定するために、折り曲げ線４８に沿って基部パネルに折り曲げ可能に接続された固定フラップ４６を更に備える。固定フラップ４６には折り曲げ線５０及び５２を設け得る。
【００２４】
本発明の一態様は、頂部壁パネル１６に形成された着脱自在な１つ以上のカバーフラップを提供する。この実施形態では、カートンの頂部面を覆うために設けられた４つのカバーフラップ５４、５６、５８及び６０を備える。カバーフラップは、折り曲げ線２２、４０、２４及び３６にそれぞれ沿って共に折り曲げ可能に接続される。
【００２５】
カバーフラップは、引裂き線によって互いに折れ易く結合される。したがって、この実施形態では、カバーパネル５４は折れ易い線６６及び６８に沿ってパネル５６及び６０を覆うために折れ易く接続される。同様に、カバーパネル５８は折れ易い線６２及び６４に沿ってパネル６０及び５６を覆うように折れ易く接続される。
【００２６】
この実施形態におけるカバーフラップは三角形であるが、本発明の範囲を逸脱せずに他の形状の考えられる。隣接するカバーフラップを分離する支援をするために、頂部パネルに着脱自在に結合された押しタブ７０を更に備える。図１では、押しタブ７０は折れ易い線６２、６４、６６６８が相互に連結する点で中心に位置づけられる。
【００２７】
折れ易い線６２、６４、６６及び６８の互いに反対側にある端部の各々には、図４に示す折れ易い線と交差する折り曲げ線６２ａ、６２ｂ；６４ａ、６４ｂ；６６ａ、６６ｂ；６８ａ、６８ｂが設けられる。折り曲げ線は、引裂力を消散させることによって、折れ易い線の端部を越えて引裂きが進行するのを阻止する。
【００２８】
本発明の他の態様は、折れ易い線６２、６４、６６及び６８の構造に関する。図４及び図４Ａは、複数の穿孔又は短いスリットを具備する３つ以上の別個の列７２、７４、７６から形成される引裂き線６８の好ましい実施形態を図示する。各列では、或る穿孔は次に隣接する穿孔から距離Ｌだけ離隔配置される。この距離Ｌは特定の引裂特性により変わる。しかしながら、距離Ｌの使用可能な範囲は約１ｍｍ〜５ｍｍの間であることが判明している。
【００２９】
各列７２、７４、７６は次に隣接する列から距離Ｃだけ離隔配置される。この距離Ｃは要求される特定の引裂特性に応じて変わる。しかしながら、距離Ｃの使用可能な範囲は約０．５ｍｍ〜２．５ｍｍの間であることが判明している。複数の穿孔が図４Ａに示すように”階段”形状に見えるように、穿孔の各列は次の列に対して偏倚される。
【００３０】
使用に際して、引裂き線６８は１列又は２列のスリットを具備した引裂ストリップよりより効果的であることが判明している。何故なら、穿孔７４の中央列は引裂をその長さに沿って伝え、かつ引裂力はこの中央の線を通過するからである。せん断力は、この時、引裂が引裂き線に沿って動くにつれて、中央の列７４の一側又は他側に加えられ、中央の列７４と、外側列７２及び７６との間の距離Ｃを引裂く。
【００３１】
引裂が外部列内の何処で起きるかに関する柔軟性の程度を許容することによって引裂方向を制御すること極めて容易である。
【００３２】
このタイプの引裂き線の１つの利点は、例えば、ボード上に印刷された広告表示上のロゴ形状に倣って丸みのある引裂き線を作り出すことが可能である。
【００３３】
カートンがその構造を完成させるために回転又は逆さにすることが要求されないように直線加工機械で形成し得る、一連の連続した折り曲げ付動作及び接着動作によって、本発明のカートンの実施形態の何れも形成し得るものと考えられる。折り曲げ付工程は以下に記載するものに限定されず、特定の製造要求又は使用者要求に応じて変更し得る。例えば、カートンは部分的に構築し得るものであり、これにより、側部パネル１８及び固定フラップ５０は物品を積み込む前に互いに固定されて管状構造体を構成する。
【００３４】
基部壁パネル１２、互いに反対側にある側壁パネル１４、１８及び頂部パネル１６は、折り曲げ線２０、２２及び２４に沿って整合した平面内から折り曲げられて管状構造体に折り曲げられ、また固定フラップ４６は接着剤又は当該分野では周知の他の手段によって側部パネル１８に固定される。
【００３５】
単数又は複数の物品は既知のパッケージ装置によってカートン内に詰め込まれる。
【００３６】
支持フラップ４２は、折り曲げ線４４に沿って内向きに折り曲げられる。また、互いに反対側にある端部は、それぞれ、折り曲げ線２８及び３２に沿って端部壁パネル２６及び３０を上向きに折り曲げられることによって構築される。同様に、端部フラップ３４及び３８は、折り曲げ線３６及び４０に沿って下向きに折り曲げられる。また、端部フラップ３４及び３８の外面は、接着剤又は当該分野で周知の他の手段によって端部壁パネル２６及び３０の内面に固定される。したがって、カートンは図２に示すように組み立てられて物品が詰みこまれた状態にある。
【００３７】
カートンの内部へアクセスするためには、図３に示すような上向き且つ外向き方向にカバーフラップ５６の一つを引裂くように、使用者は押しタブ７０を内向きに押し下げて自身が把持する端縁７１を露にする。カバーフラップ５６が外向きに引っ張り続けられるにつれて、引裂き線６４及び６６はアクセス開口Ａを露にする。引裂工程は上述され且つ図４及び図４Ａに図示したものに相当する。
【００３８】
第２実施形態は図５、図６及び図７に図示されている。この実施形態は多くの等価なパネル及び折り曲げ線を共有し、同様な部品には”１”を前置した同じ参照符号によって示されている。したがって、差異のみを何れもより詳細に説明する。
【００３９】
カートンブランク１１０には側壁パネル１１４及び１１８を相互に折り曲げ可能に接続させる単一のカバーパネル１１６が設けられる。単一のカバーパネル１１６は略正方形であり、この正方形は引裂き線１６２、１６４、１６６及び１６８によってこの正方形の端縁に沿って規定される。幾つかの実施形態では、以下により詳細に説明する上昇力を導く１つ以上の折り曲げ線１６７、１６９、１７１、１７３を備える。押しタブ１７０はカバーパネル１１６の中央領域に設けられている。しかしながら、他の実施形態では、この押しタブは、カバーパネルの１つの隅部から引裂が始まることを支援するために該カバーパネルの１つの隅部に近接して位置づけ得るものである。
【００４０】
第２実施形態の構成は図６に示すような第１実施形態と同一である。したがって、更に詳細に説明しない。
【００４１】
カバーパネルを取除くために、開口を露にするために押しタブ１７０が押し下げられる。その後、使用者は開口内に指を挿入し、図７に示すように、次いで、引裂き線１６２、１６４、１６６及び１６８に沿って引裂くことによってカートンの残りのパネルから取除かれるカバーフラップ１１６を引っ張る。この配置構成の１つの利点は、カバーフラップが、単一の引張り行為でカートンから取除かれるということである。
【００４２】
有益なことに、上述した本発明の実施形態は物品を保持し、かつ不可分なスリーブ又は包囲されたカートンを提供するには十分に強い構造体を提供した。ボール紙材料の使用は、プラスチック材料から作られたカートンに対する環境的な代替を与え、かつボール紙から作られたスリーブは販売目的のための印刷材料を含み得る。
【００４３】
本願明細書で使用されるような、カートン（又はカートンブランク）のパネルに対する用語”頂部”、”底部”、”側部”、”端部”、”上部”及び”下部”は相対的な用語であり、しかもカートン（ブランクから形成された）は必要により又は所望により再配向し得るものであることが分かるであろう。底部パネルが互いに係合したパネルから構成されるというよりはむしろ、カートンブランクは再配置し得るものであり、これにより、頂部壁又は側部壁のような幾つかの他の壁は互いに係合したパネルから構成されることが分かるであろう。
【００４４】
折り曲げ可能な接続の何れへの参照も、必要に応じて単一の折り曲げ線のみを参照して行われるものと解釈されるべきではない。実際、折り曲げ可能な接続は、本発明の範囲から逸脱せずに、刻み線、折れ易い線又は折り曲げ線の１つから成る１つ以上から構成し得るものと考えられる。
【００４５】
本発明とその好ましい実施形態は、例えば、フロッピー（登録商標）ディスク又はジップディスクである情報ディスク、あるいは或る程度の柔軟性を有する食料品のような物品を保持するために満足の行く剛直性を与えるように成形されたカートン又はスリーブに関する。ブランクの形状は、カートンに必要なボール紙の量を最小限にする。カートンは平坦な折り畳み状態から、使用姿勢及び／又は手動又は自動機械で荷を詰みこんだ状態に構築し得る。本発明の範囲を逸脱せずに、本発明を修正し得ることが予想される。例えば、異なる形状及び／又は寸法の１つ以上の物品を収容するカートンを提供するために、側面及び端部パネルは高さ又は幅を増加し得る。さらに、種々の実施形態に図示する引裂き線は本発明の範囲を逸脱せずに、他の既知のカートンタイプ、例えば、完全に包囲されたカートン、飲料容器用又は食料用の巻き付けて用いるカートンに適用することができる。
【図面の簡単な説明】
【００４６】
【図１】本発明の実施形態による引裂き線配置構成を組み込んだカートンを構成するブランクの平面図である。
【図２】図１に示したブランクから構成されたカートンが組み立てられ且つ荷を詰み込んだ状態の斜視図である。
【図３】カバーフラップが部分的に引裂かれて開いた状態のカートンを示す図である。
【図４】カバーフラップが部分的に引裂かれて開いた状態のカートンを示す図である。
【図４ａ】引裂ストリップの形状構成を示す拡大図である。
【図５】本発明の第２実施形態によるブランクを示す図である。
【図６】図５に示したブランクから構成されたカートンが組み立てられ且つ荷を詰み込んだ状態の斜視図である。
【図７】カバーパネルが完全に引裂かれた状態の図６のカートンを示す図である。
【符号の説明】
【００４７】
１０  ブランク
１２  基部パネル
１４  第１側壁パネル
１６  頂部パネル
１８  第２側壁パネル
２０、２２、２４  折り曲げ線
２６、３０  互いに反対側にある端部パネル
２８、３２  折り曲げ線
３４、３８  端部フラップ
３６、４０  折り曲げ線
４２ａ、４２ｂ  側部フラップ
４２ｃ、４２ｄ  端部フラップ
４４ｃ、４４ｄ  折り曲げ線
４６  固定フラップ
４８  折り曲げ線
５０、５２  折り曲げ線
５４、５６、５８、６０  カバーフラップ
６２、６４、６６、６８  引裂き線
６２ａ、６２ｂ；６４ａ、６４ｂ；６６ａ、６６ｂ；６８ａ、６８ｂ  引裂き線
７０  押しタブ
７１  端縁
７２、７４、７６  列
１１０  カートンブランク
１１４、１１８  側壁パネル
１１６  カバーパネル
１６２、１６４、１６６、１６８  引裂き線
１６７、１６９、１７１、１７３  折り曲げ線
【図１】
2005536405.tif 000003
【図２】
2005536405.tif 000004
【図３】
2005536405.tif 000005
【図４】
2005536405.tif 000006
【図４Ａ】
2005536405.tif 000007
【図５】
2005536405.tif 000008
【図６】
2005536405.tif 000009
【図７】
2005536405.tif 000010
【手続補正書】
【提出日】平成16年4月5日(2004.4.5)
【手続補正１】
【補正対象書類名】特許請求の範囲
【補正対象項目名】全文
【補正方法】変更
【補正の内容】
【特許請求の範囲】
【請求項１】
少なくとも３列に配置された複数の穿孔又は短いスリットを具備する引裂線を備え、各列の前記穿孔又はスリットは、次に隣接する前記列の穿孔又は短いスリットに対して偏倚しているカートン。
【請求項２】
列内の前記穿孔は約１ｍｍ〜５ｍｍの範囲の所定の距離だけ離隔配置される、請求項１に記載のカートン。
【請求項３】
各列は、次に隣接する列から約０．５ｍｍ〜２．５ｍｍの範囲の距離だけ離隔配置される、請求項１または請求項２に記載のカートン。
【請求項４】
壁に形成された引裂き開始手段と、前記壁の周辺に向って前記引裂き開始手段から延在する少なくとも３つの引裂き線と、を具備する引裂き開放構造が設けられた前記壁を備え、各破断線が少なくとも３列に配置された複数の穿孔又は短いスリットを具備し、各列の前記穿孔又はスリットは、次に隣接する前記列の穿孔又は短いスリットに対して偏倚しているカートン。
【請求項５】
前記破断開放構造は、それぞれ、前記壁の四隅に向って延在する４つの破断線を具備する、請求項４に記載のカートン。
【請求項６】
前記引裂き開始手段は前記壁から叩き出した押しタブを備える、請求項４または請求項５に記載のカートン。
【請求項７】
請求項１から請求項３まで、あるいは請求項４から請求項６までのいずれか１項に記載のカートンを構成するブランク。
【請求項８】
ボール紙又は類似の機能を有する他のシート材料から形成されるカートンであって、
２つの隣接するパネル間の結合を規定する引裂き構造体と、
引裂かれて離されるパネルを把持する手段であって、該手段が静止して占有する平面から移動し得るように、前記引裂き構造体によって、少なくとも一部分が引裂かれて離されるパネルを把持する手段と、
前記手段と前記引裂き構造体との間に配置されて、前記引裂き構造体に働くせん断力が該引裂き構造体で引裂きを起こすのに十分であり、これにより引裂かれて離されたパネルがカートンから取外し得るように、引裂かれて離された前記パネルが移動し得る量を増大させる折れ曲げ線と、を備えるカートン。
【請求項９】
引裂かれて離れた前記パネルは、取外された時にカートン内容物へのアクセスを与える、請求項８によるカートン。
【請求項１０】
引き裂かれて離された前記パネルはカートンの頂部パネルであり、引裂き構造体は該パネルの周辺まわりに延在し、前記パネルを把持する前記手段はその周辺から離されて配置され、前記折れ曲げ線は、前記引裂き構造体を複数の位置で会合するように前記手段から多方向に延在する、請求項８または請求項９によるカートン。
【請求項１１】
前記引裂き構造体は少なくとも２つの隣接する穿孔線を備え、前記穿孔線のうちの１つの穿孔は次に隣接する線の穿孔の中間に配置され、かつ隣接する前記穿孔線はこれらのうちの何れか１つの穿孔間の間隔より大きくない、請求項８から請求項１０までのいずれか１項によるカートン。
【請求項１２】
請求項８から請求項１１までのいずれか１項に記載のカートンを構成するブランク。
【請求項１３】
少なくとも３列に配置された複数の穿孔又は短いスリットを具備する破断線を備え、各列の前記穿孔又はスリットは、次に隣接する前記列の穿孔又は短いスリットに対して偏倚しているカートン。
【請求項１４】
列の前記穿孔は約１ｍｍ〜５ｍｍの範囲の所定の距離だけ離隔配置される、請求項１３に記載のブランク。
【請求項１５】
各列は、次に隣接する前記列から約０．５ｍｍ〜２．５ｍｍの範囲の距離だけ離隔配置される、請求項１３または請求項１４に記載のブランク。
【手続補正２】
【補正対象書類名】明細書
【補正対象項目名】０００８
【補正方法】変更
【補正の内容】
【０００８】
本発明の第１態様は、少なくとも３列に配置された複数の穿孔又は短いスリット具備する引裂き線を備え、各列の前記穿孔又はスリットは、次に隣接する前記列の穿孔又は短いスリットに対して偏倚しているカートンを提供する。
【手続補正３】
【補正対象書類名】明細書
【補正対象項目名】００１０
【補正方法】変更
【補正の内容】
【００１０】
本発明の第２態様は、壁に形成された引裂開始手段と、該壁の周辺に向かって前記引裂開始手段から延在する少なくとも３つの引裂線と、を具備し、各引裂線が少なくとも３列に配置された複数の穿孔又は短いスリットを備える、引裂開放構造が設けられた該壁を備え、各列の前記穿孔又はスリットは、次に隣接する前記列の穿孔又は短いスリットに対して偏倚しているカートンを提供する。


【国際調査報告】
2005536405.tif 000011
2005536405.tif 000012
2005536405.tif 000013
2005536405.tif 000014